(57)【要約】【課題】利用者の出発階及び行先階を、出発階から行先階に向かう方向とは反対方向に出発するエレベータに割り当てる場合における、エレベータの利用者の不安を抑制可能な情報通信端末、プログラム、及びエレベータの群管理システムを提供する。【解決手段】情報通信端末の制御部は、群管理制御装置から、当該情報通信端末を所持する利用者により当該情報通信端末を利用して乗車前に登録された出発階及び行先階に対する割当号機の識別情報と、割当号機の現在階の情報と、停止予定階の情報とを受信したした場合、割当号機のかごが行先階に到着したことを示す行先階到着情報を受信するまでの間、出発階の情報及び行先階の情報、並びに受信した識別情報、現在階の情報、及び停止予定階の情報を含むかごの運行経路情報を表示部に表示させ、群管理制御装置から、かごが出発階に到着したことを示す出発階到着情報を受信したときに、表示部に、利用者にかごへの乗車を促す乗車案内情報を表示させる。【選択図】図８Ｃ
2019151420.tif 000002
【特許請求の範囲】
【請求項１】
無線通信を行う無線通信部と、
画像を表示する表示部と、
制御部と、を備えた情報通信端末であって、
前記制御部は、
複数台のエレベータの運行を統合的に制御する群管理制御装置から前記無線通信部を用いて無線通信により情報を逐次受信し、
前記群管理制御装置から、当該情報通信端末を所持する利用者により当該情報通信端末を利用して乗車前に登録された出発階及び行先階に対して前記複数台のエレベータの中から割り当てられた割当号機の識別情報と、前記割当号機のかごが現在位置する現在階の情報と、前記かごが前記現在階から前記行先階に到着するまでに途中で停止する停止予定階の情報とを含む前記かごの運行経路情報を受信した場合、前記かごが前記行先階に到着したことを示す行先階到着情報を受信するまでの間、前記かごの運行経路情報を前記表示部に表示させ、
前記群管理制御装置から、前記かごが前記出発階に到着したことを示す出発階到着情報を受信したときに、前記表示部に、前記利用者に前記かごへの乗車を促す乗車案内情報を表示させる、
情報通信端末。
【請求項２】
前記制御部は、前記群管理制御装置から、更新された現在階の情報を受信したときに、前記表示部に、表示中の現在階の情報に代えて、更新された現在階の情報を表示させる、
請求項１に記載の情報通信端末。
【請求項３】
前記制御部は、前記群管理制御装置から、更新された停止予定階の情報を受信したときに、前記表示部に、表示中の停止予定階の情報に代えて、更新された停止予定階の情報を表示させる、
請求項１または２に記載の情報通信端末。
【請求項４】
前記制御部は、前記運行経路情報を運行経路図状に表示させる、
請求項１から３のいずれか１項に記載の情報通信端末。
【請求項５】
前記群管理制御装置は、前記利用者の前記出発階から前記行先階に向かう方向と同じ方向に出発するエレベータと、前記利用者の前記出発階から前記行先階に向かう方向とは反対方向に出発するエレベータの中から、前記利用者を乗車させる割当号機を決定する、
請求項１から４のいずれか１項に記載の情報通信端末。
【請求項６】
無線通信を行う無線通信部と画像を表示する表示部とを有するコンピュータに、
複数台のエレベータの運行を統合的に制御する群管理制御装置から前記無線通信部を用いて無線通信により情報を逐次受信する機能、
前記群管理制御装置から、当該コンピュータを所持する利用者により当該コンピュータを利用して乗車前に登録された出発階及び行先階に対して前記複数台のエレベータの中から割り当てられた割当号機の識別情報と、前記割当号機のかごが現在位置する現在階の情報と、前記かごが前記現在階から前記行先階に到着するまでに途中で停止する停止予定階の情報とを含む前記かごの運行経路情報を受信した場合、前記かごが前記行先階に到着したことを示す行先階到着情報を受信するまでの間、前記かごの運行経路情報を前記表示部に表示させる機能、及び
前記群管理制御装置から、前記かごが前記出発階に到着したことを示す出発階到着情報を受信したときに、前記表示部に、前記利用者に前記かごへの乗車を促す乗車案内情報を表示させる機能、を実現させる、
プログラム
【請求項７】
前記コンピュータに、さらに、
前記群管理制御装置から、更新された現在階の情報を受信したときに、前記表示部に、表示中の現在階の情報に代えて、更新された現在階の情報を表示させる機能を実現させる、
請求項６に記載のプログラム。
【請求項８】
前記コンピュータに、さらに、
前記群管理制御装置から、更新された停止予定階の情報を受信したときに、前記表示部に、表示中の停止予定階の情報に代えて、更新された停止予定階の情報を表示させる機能を実現させる、
請求項６または７に記載のプログラム。
【請求項９】
前記運行経路情報を前記表示部に表示させる機能において、前記運行経路に関する情報を運行経路図状に表示させる、
請求項６から８のいずれか１項に記載のプログラム。
【請求項１０】
前記群管理制御装置は、前記利用者の前記出発階から前記行先階に向かう方向と同じ方向に出発するエレベータと、前記利用者の前記出発階から前記行先階に向かう方向とは反対方向に出発するエレベータの中から、前記利用者を乗車させる割当号機を決定する、
請求項６から９のいずれか１項に記載のプログラム。
【請求項１１】
無線通信を行う無線通信装置と、
複数台のエレベータの運行を統合的に制御するとともに、情報通信端末を所持する利用者により前記情報通信端末を利用して乗車前に登録された出発階及び行先階を複数台のエレベータのうちのいずれかに割り当てる群管理制御装置と、を備え、
前記群管理制御装置は、
前記出発階及び前記行先階を前記複数台のエレベータのうちのいずれかに割り当てたときに、割当号機の識別情報と、前記割当号機のかごが現在位置する現在階の情報と、前記かごが前記現在階から前記行先階に到着するまでに途中で停止する停止予定階の情報とを含む前記割当号機のかごの運行経路情報を前記かごが前記行先階に到着するまでの間前記情報通信端末から前記利用者に報知させるために、前記かごの運行経路情報を前記無線通信装置を用いて前記情報通信端末に送信するとともに、
前記かごが前記出発階に到着したときに、前記情報通信端末から前記利用者に前記かごへの乗車を促す乗車案内情報を報知させるために、前記かごが前記出発階に到着したことを示す出発階到着情報を前記無線通信装置を用いて前記情報通信端末に送信する、
エレベータの群管理システム。
【請求項１２】
前記群管理制御装置は、前記かごの現在階に変化が生じたときは、前記無線通信装置を用いて、前記情報通信端末に、更新した現在階の情報を送信する、
請求項１１に記載のエレベータの群管理システム。
【請求項１３】
前記群管理制御装置は、前記かごの途中停止階に変化が生じたときは、前記無線通信装置を用いて、前記情報通信端末に、更新した停止予定階の情報を送信する、
請求項１１または１２に記載のエレベータの群管理システム。
【請求項１４】
前記群管理制御装置は、前記利用者の前記出発階から前記行先階に向かう方向と同じ方向に出発するエレベータと、前記利用者の前記出発階から前記行先階に向かう方向とは反対方向に出発するエレベータの中から、前記利用者を乗車させる割当号機を決定する、
請求項１１から１３のいずれか１項に記載のエレベータの群管理システム。
【請求項１５】
エレベータ乗場に、利用者による行先階の登録を受け付ける乗場行先階登録装置が配置され、
前記群管理制御装置は、行先階の登録が前記乗場行先階登録装置を利用して行われたときは、前記複数台のエレベータのうち、前記利用者の前記出発階から前記行先階に向かう方向と同じ方向に出発するエレベータの中から、前記利用者を乗車させる割当号機を決定し、
決定した割当号機の識別情報を前記乗場行先階登録装置に送信する、
請求項１１から１４のいずれか１項に記載のエレベータの群管理システム。
【発明の詳細な説明】
【技術分野】
【０００１】
本発明は、情報通信端末、プログラム、及びエレベータの群管理システムに関する。
【背景技術】
【０００２】
特許文献１は、行先階登録部から出発階及び行先階の情報を受信したときに、複数台のエレベータのうちのいずれかのエレベータを割り当てるエレベータシステムを開示している。また、特許文献１では、出発階から行先階に向かう方向と同じ方向に出発するエレベータだけでなく、反対方向に出発するエレベータにも割り当てを行うことを開示している。
【先行技術文献】
【特許文献】
【０００３】
【特許文献１】特許第５９２１０１２号公報
【発明の概要】
【発明が解決しようとする課題】
【０００４】
特許文献１に記載のエレベータシステムでは、例えば５階に、その上の６階を行先階とする乗客と、下の４階を行先階とする乗客とがいるとした場合、まず「６階に行くお客様はご乗車下さい」と乗車案内し、その後「４階に行くお客様はご乗車下さい」と乗車案内する。このように１つの出発階において、上の階床に向かうエレベータの乗車案内と下の階床に向かうエレベータの乗車案内との両方が行われると、これらの利用者は、本当に乗車してよいか不安を抱く可能性がある。つまり、利用者の利便性の面で課題がある。
【０００５】
本発明は、利用者の出発階及び行先階を、出発階から行先階に向かう方向とは反対方向に出発するエレベータに割り当てる場合における、エレベータの利用者の不安を抑制可能な情報通信端末、プログラム、及びエレベータの群管理システムを提供する。
【課題を解決するための手段】
【０００６】
本発明の第１の態様において、情報通信端末が提供される。
情報通信端末は、
無線通信を行う無線通信部と、
画像を表示する表示部と、
制御部と、を備える。
制御部は、
複数台のエレベータの運行を統合的に制御する群管理制御装置から無線通信部を用いて無線通信により情報を逐次受信し、
群管理制御装置から、当該情報通信端末を所持する利用者により当該情報通信端末を利用して乗車前に登録された出発階及び行先階に対して複数台のエレベータの中から割り当てられた割当号機の識別情報と、割当号機のかごが現在位置する現在階の情報と、かごが現在階から行先階に到着するまでに途中で停止する停止予定階の情報とを含むかごの運行経路情報を受信した場合、かごが行先階に到着したことを示す行先階到着情報を受信するまでの間、運行経路情報を表示部に表示させ、
群管理制御装置から、かごが出発階に到着したことを示す出発階到着情報を受信したときに、表示部に、利用者にかごへの乗車を促す乗車案内情報を表示させる。
【０００７】
本発明の第２の態様において、プログラムが提供される。
プログラムは、
無線通信を行う無線通信部と画像を表示する表示部とを有するコンピュータに、
複数台のエレベータの運行を統合的に制御する群管理制御装置から無線通信部を用いて無線通信により情報を逐次受信する機能、
群管理制御装置から、当該コンピュータを所持する利用者により当該コンピュータを利用して乗車前に登録された出発階及び行先階に対して複数台のエレベータの中から割り当てられた割当号機の識別情報と、割当号機のかごが現在位置する現在階の情報と、かごが現在階から行先階に到着するまでに途中で停止する停止予定階の情報とを含むかごの運行経路情報を受信した場合、かごが行先階に到着したことを示す行先階到着情報を受信するまでの間、運行経路情報を表示部に表示させる機能、及び
群管理制御装置から、かごが出発階に到着したことを示す出発階到着情報を受信したときに、表示部に、利用者にかごへの乗車を促す乗車案内情報を表示させる機能、を実現させる。
【０００８】
本発明の第３の態様において、エレベータの群管理システムが提供される。
エレベータの群管理システムは、
無線通信を行う無線通信装置と、
複数台のエレベータの運行を統合的に制御するとともに、情報通信端末を所持する利用者により情報通信端末を利用して乗車前に登録された出発階及び行先階を複数台のエレベータのうちのいずれかに割り当てる群管理制御装置と、を備える。
群管理制御装置は、
出発階及び行先階を複数台のエレベータのうちのいずれかに割り当てたときに、割当号機の識別情報と、割当号機のかごが現在位置する現在階の情報と、かごが現在階から行先階に到着するまでに途中で停止する停止予定階の情報とを含むかごの運行経路情報を割当号機のかごが行先階に到着するまでの間情報通信端末から利用者に報知させるために、運行経路情報を無線通信装置を用いて情報通信端末に送信するとともに、
かごが出発階に到着したときに、情報通信端末から利用者にかごへの乗車を促す乗車案内情報を報知させるために、かごが出発階に到着したことを示す出発階到着情報を無線通信装置を用いて情報通信端末に送信する。
【発明の効果】
【０００９】
本発明によれば、割当号機の識別情報とともに、出発階、行先階、現在階、及び停止予定階の情報が情報通信端末に送信され、利用者にかごの運行経路情報が報知される。また、かごが出発階に到着したときに、利用者にかごへの乗車を促す乗車案内情報を報知させるための出発階到着情報が情報通信端末に送信され、情報通信端末において、利用者に到着したかごへの乗車を促す案内が表示される。そのため、利用者は、乗車前に、運行経路情報に基づいて、割当号機のかごが出発階から行先階に向かう方向と同じ方向に出発するのか、出発階から行先階に向かう方向とは反対方向に出発するのかを認識することができるとともに、割当号機のかごに乗車案内にしたがって乗車すればよい。そのため、利用者の出発階及び行先階に対して、出発階から行先階に向かう方向と同じ方向に出発するエレベータと、出発階から行先階に向かう方向とは反対方向に出発するエレベータとを区別せずにエレベータの割当てを行った場合でも、利用者に不安を抱かせることを抑制でき、利用者の利便性を向上させることができる。
【図面の簡単な説明】
【００１０】
【図１】実施の形態１におけるエレベータシステムが適用されるビル（建物）の各階床における機器配置を示す概略平面図
【図２】実施の形態１におけるエレベータの群管理システムの構成の一例を示したブロック図
【図３】実施の形態１における乗場行先階登録装置の構成の一例を示したブロック図
【図４】実施の形態１におけるエレベータ制御装置の構成の一例を示したブロック図
【図５】実施の形態１における情報通信端末の構成の一例を示したブロック図
【図６】セレクティブコレクティブ方式と逆方向乗車許容方式とを比較して説明した図
【図７Ａ】情報通信端末の表示部における表示例を示した図
【図７Ｂ】情報通信端末の表示部における表示例を示した図
【図７Ｃ】情報通信端末の表示部における表示例を示した図
【図８Ａ】情報通信端末の表示部における表示例を示した図
【図８Ｂ】情報通信端末の表示部における表示例を示した図
【図８Ｃ】情報通信端末の表示部における表示例を示した図
【図８Ｄ】情報通信端末の表示部における表示例を示した図
【図８Ｅ】情報通信端末の表示部における表示例を示した図
【図８Ｆ】情報通信端末の表示部における表示例を示した図
【図８Ｇ】情報通信端末の表示部における表示例を示した図
【図８Ｈ】情報通信端末の表示部における表示例を示した図
【図９】群管理制御装置の動作の一例を示したフローチャート
【図１０】群管理制御装置の動作の一例を示したフローチャート
【図１１Ａ】情報通信端末の動作の一例を示したフローチャート
【図１１Ｂ】情報通信端末の動作の一例を示したフローチャート
【図１２Ａ】情報通信端末の表示部における第１の他の表示の例を示した図
【図１２Ｂ】情報通信端末の表示部における第１の他の表示の例を示した図
【図１２Ｃ】情報通信端末の表示部における第１の他の表示の例を示した図
【図１２Ｄ】情報通信端末の表示部における第１の他の表示の例を示した図
【図１３Ａ】情報通信端末の表示部における第２の他の表示の例を示した図
【図１３Ｂ】情報通信端末の表示部における第２の他の表示の例を示した図
【図１３Ｃ】情報通信端末の表示部における第２の他の表示の例を示した図
【図１３Ｄ】情報通信端末の表示部における第２の他の表示の例を示した図
【発明を実施するための形態】
【００１１】
本発明の実施の形態に係る情報通信端末、プログラム、エレベータの群管理システム、及びエレベータシステムについて図面を参照して説明する。
【００１２】
１．構成
１−１．エレベータシステムの概要
図１は、実施の形態１におけるエレベータシステムが適用されるビル（建物）の各階床における機器配置を示す概略平面図である。
【００１３】
本実施の形態に係るエレベータシステムは、複数台のエレベータ（Ａ号機〜Ｆ号機。以下適宜「号機」という）６０Ａ〜６０Ｆと、群管理システムとを含む。エレベータの群管理システムは、エレベータ６０Ａ〜６０Ｆの運行を統合的に制御する。本実施の形態では、一例としてＡ号機からＦ号機の６台のエレベータ６０Ａ〜６０Ｆが設けられた構成を例示しているが、これに限られない。各エレベータ６０Ａ〜６０Ｆの乗車用開口がエレベータホール（エレベータ乗場）側に設けられており、利用者はエレベータホールからエレベータ６０Ａ〜６０Ｆに乗車する。なお、複数台のエレベータ６０Ａ〜６０Ｆは互いに同一または類似の構成を有する。そのため、構成等の説明において区別する必要がない場合、適宜、各エレベータを「エレベータ６０」という。
実施の形態
【００１４】
各階のエレベータホールの近傍には、乗場行先階登録装置３０Ａ（〜３０Ｚ）及び無線通信装置９０Ａ（〜９０Ｚ）が配置されている。複数台の乗場行先階登録装置３０Ａ〜３０Ｚは互いに同一または類似の構成を有する。そのため、構成等の説明において区別する必要がない場合、適宜、各乗場行先階登録装置を「乗場行先階登録装置３０」という。また、複数台の無線通信装置９０Ａ〜９０Ｚは互いに同一または類似の構成を有する。そのため、構成等の説明において区別する必要がない場合、適宜、各無線通信装置を「無線通信装置９０」という。
【００１５】
本実施の形態におけるエレベータの群管理システムは、利用者がエレベータ６０のかごに乗車する前に予め乗場行先階登録装置３０を利用して行先階（及び出発階）を登録する行先階登録方式を採用している。そして群管理システムは、予め登録された行先階についての呼び（行先階呼び）を複数台のエレベータ６０のうちのいずれかに割り当てて、割り当てたエレベータ（以下適宜「割当号機」という）の号機名（割当号機の識別情報（割当号機識別情報）の内容の一例）を乗場行先階登録装置３０から利用者に報知し、割当号機に利用者を乗車させるように構成されている。
【００１６】
また、本実施の形態におけるエレベータの群管理システムでは、行先階（及び出発階）の登録を、利用者が所持している情報通信端末１００−１〜１００―ｎ（以下適宜、区別せず「情報通信端末１００」という）を利用して行うことが可能に構成されている。具体的な制御については、後述する。
【００１７】
１−２．エレベータの群管理システムの構成
１−２−１．概要
図２は、実施の形態１におけるエレベータの群管理システムの構成の一例を示したブロック図である。
【００１８】
本実施の形態におけるエレベータの群管理システムは、群管理制御装置１０と、複数台の乗場行先階登録装置３０Ａ〜３０Ｚと、複数台のエレベータ制御装置４０Ａ〜４０Ｆと、複数台の無線通信装置９０Ａ〜９０Ｚとを有する。
【００１９】
エレベータの群管理システムは、群管理システムを構成する各装置間で通信を行いながら、各号機に対する新規の行先階呼びの割当制御を行う。各装置は、情報伝送可能なネットワークを介して接続されている。ネットワークは、例えばＥｔｈｅｒｎｅｔ（登録商標）等のＬＡＮ（Ｌｏｃａｌ  Ａｒｅａ  Ｎｅｔｗｏｒｋ）により構成され、各装置間での各種の情報の送受信は、ＴＣＰ／ＩＰ等の各種のプロトコルにしたがって行われる。ネットワーク上に接続されている前述の各装置は、装置間において、各装置が有する入出力インタフェースにより、ＴＣＰ／ＩＰ等の各種のプロトコルにしたがった通信による信号伝送（情報伝送）が可能である。なお、群管理システムを構成する各装置間は、他の信号形式のネットワークや、専用の信号網を介して接続されてもよい。
【００２０】
各エレベータ（各号機）６０Ａ〜６０Ｆは、かご、巻上機（モータ）、釣合おもり等を有する。
【００２１】
１−２−２．群管理制御装置
【００２２】
群管理制御装置１０は、複数台のエレベータ６０Ａ〜６０Ｆの運行を統合的に制御する。
【００２３】
群管理制御装置１０は、コンピュータを利用して構成され、制御部１１と、記憶部１２と、入出力インタフェース１３とを備える。
【００２４】
記憶部１２は、例えばＲＡＭ、ＲＯＭ、ＨＤＤ、ＳＳＤ等を利用して構成され、プログラム、及び種々のデータを格納している。プログラムは、本実施の形態の群管理制御装置１０の各種機能を実現するためのプログラムを含む。
【００２５】
制御部１１は、例えばＣＰＵ、ＭＰＵ等を利用して構成される。制御部１１は、記憶部１２から読み出した上記プログラムに基づいて種々のデータ等を利用して演算処理を行うことにより、群管理制御装置１０における後述する各種の機能を実現する。
【００２６】
入出力インタフェース１３は、例えばＬＡＮアダプタ等を利用して構成される。入出力インタフェース１３は、群管理制御装置１０が、乗場行先階登録装置３０（３０Ａ〜３０Ｚ）、エレベータ制御装置４０（４０Ａ〜４０Ｆ）、及び無線通信装置９０（９０Ａ〜９０Ｚとの間で各種信号を送受信するためのインタフェースである。入出力インタフェース１３は、制御部１１から出力される信号を所定の形式の信号に変換して乗場行先階登録装置３０、エレベータ制御装置４０、及び無線通信装置９０に出力する。また、入出力インタフェース１３は、乗場行先階登録装置３０、エレベータ制御装置４０、及び無線通信装置９０から入力された信号を所定の形式の信号に変換して制御部１１に出力する。
【００２７】
１−２−３．乗場行先階登録装置
図３は、実施の形態１における乗場行先階登録装置の構成の一例を示したブロック図である。
【００２８】
乗場行先階登録装置３０は、利用者が行先階の登録を行うための装置である。乗場行先階登録装置３０は、制御部３１と、記憶部３２と、入出力インタフェース３３と、表示部３４と、操作部３５とを備える。
【００２９】
記憶部３２は、例えばＲＡＭ、ＲＯＭ、ＨＤＤ、ＳＳＤ等を利用して構成され、プログラム、及び種々のデータを格納している。プログラムは、本実施の形態の乗場行先階登録装置３０の各種機能を実現するためのプログラムを含む。
【００３０】
制御部３１は、例えばＣＰＵ、ＭＰＵ等を利用して構成される。制御部３１は、記憶部３２から読み出した上記プログラムに基づいて種々のデータ等を利用して演算処理を行うことにより、乗場行先階登録装置３０における後述する各種の機能を実現する。
【００３１】
入出力インタフェース３３は、例えばＬＡＮアダプタ等を利用して構成される。入出力インタフェース３３は、乗場行先階登録装置３０が、群管理制御装置１０との間で各種信号を送受信するためのインタフェースである。入出力インタフェース３３は、制御部３１から出力された信号を所定の形式の信号に変換して群管理制御装置１０に出力する。また、入出力インタフェース３３は、群管理制御装置１０から入力された信号を所定の形式の信号に変換して制御部３１に出力する。
【００３２】
操作部３５は、利用者が乗場行先階登録装置３０を操作する際に用いられるインタフェースである。操作部３５は、操作内容に応じた信号を制御部３１に出力する。操作部３５は、例えば行先階の入力に用いられるテンキー等を含む。
【００３３】
表示部３４は、制御部３１から出力される表示信号に基づく画像等の表示を行う。表示部３４は、例えば液晶ディスプレイパネルや有機ＥＬディスプレイパネル等により構成される。
【００３４】
操作部３５は、表示部３４に重ねて設けられたタッチパネルにより構成されてもよい。この場合、制御部３１は、表示部３４にテンキー等を表示させ、タッチパネルからなる操作部３５に対する操作に基づいて行先階の入力を受け付ける。
【００３５】
１−２−４．エレベータ制御装置
エレベータ制御装置４０（４０Ａ〜４０Ｆ）は、エレベータ６０（６０Ａ〜６０Ｆ）毎に設けられている。エレベータ制御装置４０は、群管理制御装置１０からの制御信号にしたがって、対応するエレベータ６０の巻上機（モータ）等の動作を制御して、エレベータ６０のかごを上昇、下降、停止させる。また、エレベータ制御装置４０は、対応するエレベータ６０のかご状態を検知し、検知したかご状態を示す情報（信号）等を群管理制御装置１０に出力する。かご状態には、かごが現在位置している階床（以下適宜「現在階」という）、かごが現在運転している方向（以下適宜「現在運転方向」という）、ドアの開閉状態等が含まれる。なお、複数台のエレベータ制御装置４０Ａ〜４０Ｆは互いに同一または類似の構成を有する。そのため、以下、各エレベータ制御装置を区別せずに「エレベータ制御装置４０」という場合がある。
【００３６】
図４は、実施の形態１におけるエレベータ制御装置の構成の一例を示したブロック図である。
【００３７】
各エレベータ制御装置４０（エレベータ制御装置４０Ａ〜４０Ｆ）は、制御部４１と、記憶部４２と、入出力インタフェース４３と、を備える。
【００３８】
記憶部４２は、例えばＲＡＭ、ＲＯＭ、ＨＤＤ、ＳＳＤ等を利用して構成され、プログラム、及び種々のデータを格納している。プログラムは、本実施形態のエレベータ制御装置４０の各種機能を実現するためのプログラムを含む。
【００３９】
制御部４１は、例えばＣＰＵ、ＭＰＵ等を利用して構成される。制御部４１は、記憶部４２から読み出した上記プログラムに基づいて種々のデータ等を利用して演算処理を行うことにより、エレベータ制御装置４０における各種の機能を実現する。
【００４０】
入出力インタフェース４３は、例えばＬＡＮアダプタ等を利用して構成される。入出力インタフェース４３は、エレベータ制御装置４０が群管理制御装置１０との間で各種信号を送受信するためのインタフェースである。入出力インタフェース４３は、制御部４１から出力された信号を所定の形式の信号に変換して群管理制御装置１０に出力する。また、入出力インタフェース４３は、群管理制御装置１０から入力された信号を所定の形式の信号に変換して制御部４１に出力する。
【００４１】
１−２−５．無線通信装置
図１、図２に戻り、無線通信装置９０（９０Ａ〜９０Ｚ）は、例えば無線ＬＡＮのアクセスポイントであり、ビルの各階床のエレベータホールあるいはその近傍に配置され、例えば有線ＬＡＮを介して群管理制御装置１０に接続される。無線通信装置９０（９０Ａ〜９０Ｚ）は、無線により、群管理制御装置１０と情報通信端末１００との間の通信を可能とする。情報通信端末１００とアクセスポイントとの間の接続は、例えばＷｉ―ｆｉ（登録商標）規格に基づいて行うことができる。なお、無線通信装置９０は、各エレベータ６０のかごの中にも配置されてもよい。これにより、利用者が割当号機のかごに乗車した後も、情報通信端末１００は群管理制御装置１０と安定した通信を行うことができる。
【００４２】
１−２−６．情報通信端末
図５は、実施の形態１における情報通信端末の構成の一例を示したブロック図である。
【００４３】
情報通信端末１００は、例えば、利用者の所持するスマートフォン等の携帯型コンピュータに専用のアプリケーションプログラムが導入（インストール）されることにより構成される。情報通信端末１００は、制御部１０１、記憶部１０２、表示部１０４、操作部１０５、無線通信部１０６を有する。なお、情報通信端末１００は専用端末として構成されてもよい。
【００４４】
記憶部１０２は、例えばＲＡＭ、ＲＯＭ等を利用して構成され、プログラム、及び種々のデータを格納している。プログラムは、本実施の形態の情報通信端末１００の各種機能を実現するためのプログラムを含む。例えば、プログラムは、ＯＳや、ＯＳ上で動作し、スマートフォン等の携帯型コンピュータを、運行経路情報を受信して表示する情報通信端末１００として機能させるアプリケーションプログラムを含む。アプリケーションプログラムは、利用者が起動操作を行ったときに起動させてもよいし、常時動作させておいてもよい。なお、本発明におけるプログラムは、上記のようにＯＳ上で動作するアプリケーションプログラムとして実現されてもよいし、ＯＳを介さずハードウェア上で直接動作する専用プログラムとして実現されてもよい。
【００４５】
制御部１０１は、例えばＣＰＵ、ＭＰＵ等を利用して構成される。制御部１０１は、記憶部１０２から読み出した上記プログラムに基づいて種々のデータ等を利用して演算処理を行うことにより、情報通信端末１００における後述する各種の機能を実現する。
【００４６】
無線通信部１０６は、Ｗｉ−ｆｉ（登録商標）等の無線ＬＡＮの諸規格に基づく無線通信を実行する。無線通信部１０６は、ＩＥＥＥで規定された３Ｇ、４Ｇ、５Ｇ等の通信規格に基づく無線通信を実行するように構成されてもよい。また、無線通信部１０６は、Ｂｌｕｅｔｏｏｔｈ（登録商標）等の無線通信規格に基づく無線通信を実行するように構成されてもよい。
【００４７】
操作部１０５は、利用者が情報通信端末１００を操作する際に用いられるインタフェースである。操作部１０５は、操作内容に対応する信号を制御部１０１に出力する。
【００４８】
表示部１０４は、制御部１０１から出力される表示信号に基づく表示を行う。
【００４９】
操作部１０５は、表示部１０４に重ねて設けられたタッチパネルにより構成されてもよい。
【００５０】
１−３．セレクティブコレクティブ方式と逆方向乗車許容方式
図６は、セレクティブコレクティブ方式と逆方向乗車許容方式とを比較して説明した図である。
【００５１】
従来、行先階登録方式を採用したエレベータシステムでは、登録された行先階の割当方式として、セレクティブコレクティブ方式が広く用いられている。
【００５２】
セレクティブコレクティブ方式は、利用者の移動方向と同じ方向で出発するエレベータに利用者が乗車することを前提とする方式である。しかし、この方式の場合、例えば以下のような非効率な運転が行われることがある。
【００５３】
すなわち、図６に示すように、あるかごが現在７階に位置して下方向に運転しており、かつ２階を行先階とするかご呼びが登録されているものとする。また、１階のエレベータ乗場で、１階から７階に向かう利用者が待ち、２階のエレベータ乗場で、２階から６階に向かう利用者が待っているものとする。このような状況のときにセレクティブコレクティブ方式では、７階から下方向に運転中に、２階を行先階とする乗客の降車のために２階でかごを停止させ、１階から７階に向かう利用者の乗車及び降車のために１階と７階でかごを停止させ、２階から６階に向かう利用者の乗車及び降車のために２階と６階でかごを停止させる。したがって、合計５回の停止が発生する。
【００５４】
一方、逆方向乗車許容方式では、７階から下方向に運転中に、７階から２階に向かう乗客の降車のために２階でエレベータを停止させたときに、２階から６階に向かう乗客を乗車させるようにすれば、１階から上方向に運転中に２階で停止させる必要がなくなり、エレベータのかごの停止回数を１回減らし、合計４回とすることができる。これにより、エレベータの運行効率を向上させることができる。
【００５５】
しかし、２階から６階に向かう乗客にとっては、エレベータの出発方向が、２階から６階に向かう方向とは逆方向となる。そのため、２階から６階に向かう乗客は、本当に乗車してよいのか不安を持つ可能性がある。つまり、利用者の利便性において課題があった。
【００５６】
この課題を解決するため、本実施の形態では、利用者の出発階及び行先階を、出発階から行先階に向かう方向とは反対方向に出発するエレベータに割り当てる場合における、エレベータの利用者の不安を抑制可能な情報通信端末、プログラム、及びエレベータの群管理システムを提供する。具体的には、各利用者が所持する情報通信端末を利用して出発階及び行先階の登録が行われたときは、逆方向乗車を許容する割当方式（逆方向乗車許容方式）によりエレベータの割当を行うとともに、利用者毎に最適化した運行経路案内及び乗車案内を行うようにする。また、逆方向乗車許容方式で割当を行った場合には、割当号機のかごが、出発階から、行先階に向かう方向とは反対方向に出発することとなるため、利用者が不安を持たないように、かごが行先階（目的階）に到着するまで運行経路案内を行うことが重要である。そのため、本実施の形態では、かごが行先階（目的階）に到着するまで運行経路案内を行う。
【００５７】
一方、情報通信端末を利用せずに、乗場行先階登録装置３０の操作部３５を利用して出発階及び行先階の登録が行われたときは、上記のような運行経路の案内を行うことができないため、逆方向乗車を許容しない通常の割当方式（セレクティブコレクティブ方式に基づく割当方式）によりエレベータの割当を行い、割当号機名を乗場行先階登録装置３０の表示部３４に表示させる。
【００５８】
２．動作
本実施の形態のエレベータの群管理システム及び情報通信端末の動作について説明する。
【００５９】
２−１．情報通信端末における表示動作
利用者により情報通信端末１００に対してアプリケーションプログラムの起動操作がなされたときの情報通信端末１００の表示動作を説明する。
【００６０】
図７Ａ、図７Ｂ、図７Ｃは、情報通信端末の表示部における表示例を示した図である。
【００６１】
利用者により情報通信端末１００に対してアプリケーションプログラムの起動操作がなされると、情報通信端末１００は、図７Ａに示す出発階・行先階入力画面を表示部１０４に表示させる。出発階・行先階入力画面には、出発階の入力枠と、行先階の入力枠が表示される。出発階の入力枠がタッチされると、例えば１、２、３…などの選択肢が登録されたプルダウンメニューが表示される。いずれかの選択肢がタッチされると、タッチされた選択肢の階床値が出発階の入力枠内に表示される。また、行先階の入力枠がタッチされると、例えば１、２、３…などの選択肢が登録されたプルダウンメニューが表示される。いずれかの選択肢がタッチされると、タッチされた選択肢の階床値が出発階の入力枠内に表示される。出発階の入力枠と行先階の入力枠内への階床の入力が完了したことを検知すると、情報通信端末１００は、群管理制御装置１０に、図７Ｂの出発階・行先階入力画面で入力された出発階及び行先階の情報と、情報通信端末１００の識別情報（以下「端末識別情報」という）を送信する。端末識別情報は、情報通信端末１００を識別するための識別情報である。端末識別情報は、割当号機識別情報、及び後述する運行経路情報を当該情報通信端末１００に送信するために用いられる。端末識別情報は、当該エレベータの群管理システムに接続される情報通信端末１００を識別できる情報であればどのようなものでもよい。例えば、端末識別情報は、ビル管理者が利用者の情報通信端末１００に対して付与した識別情報であってもよいし、情報通信端末１００のシリアルナンバ、ＭＡＣアドレス、電話番号等であってもよい。また、端末識別情報は、ＩＭＥＩ（International Mobile Equipment Identity）やＩＭＳＩ（International Mobile Subscriber Identity）であってもよい。
【００６２】
なお、上述した出発階及び行先階の入力方法及び入力画面は一例であり、端末識別情報と出発階及び行先階とを紐付けて群管理制御装置１０に伝送できればどのような入力方法や入力画面でもよい。例えば、出発階及び行先階を情報通信端末１００のアプリケーションプログラム上で利用者が予め登録しておき、アプリケーションプログラムを起動させたときに、図７Ａの画面を表示することなく、図７Ｂの画面を表示し、出発階及び行先階の情報と、情報通信端末１００の端末識別情報とを自動で送信するようにしてもよい。
【００６３】
送信した出発階、行先階、及び端末識別情報に対する応答として、群管理制御装置１０から、割当号機識別情報を受信すると（Ｓ１０５でＹＥＳ）、制御部１０１は、表示部１０４に、図７Ｃに示す割当号機案内画面を表示させる（Ｓ１０６）。割当号機案内画面には、割当号機識別情報が示す割当号機名が表示される。図７Ｃでは、「Ｂ」号機が割り当てられた例を示している。割当号機案内画面は、例えば数秒程度の一定時間表示してもよい。これにより、利用者に乗車すべきエレベータを適切に認識させることができる。
【００６４】
制御部１０１は、図７Ｃの割当号機案内画面を表示後、表示部１０４に、割当号機の運行経路情報を表示させる処理を行う。以下、図８Ａ〜図８Ｄを参照して詳しく説明する。
【００６５】
図８Ａ、図８Ｂ、図８Ｃ、図８Ｄは、情報通信端末の表示部における表示例を示した図である。
【００６６】
制御部１０１は、群管理制御装置１０から、割当号機識別情報、割当号機の現在階、現在運転方向、出発階、行先階、及び停止予定階の情報を受信すると、表示部１０４に、運行経路図を表示させる。図８Ａは、運行経路画面の一例を示す。ここで、現在階の情報は、割り当てられたエレベータのかごが現在位置する階床（現在階）を示す情報である。現在運転方向の情報は、割り当てられたエレベータのかごの現在の運転方向（走行している方向または走行しようとしている方向。上方向／下方向）を示す情報である。停止予定階の情報は、割り当てられたエレベータのかごが現在位置する階床（現在階）から行先階に到着するまでに途中で停止する全ての階床（停止予定階）を示す情報である。
【００６７】
図８Ａに示す運行経路画面では、下部に出発階及び行先階が表示され、その上方に、運行経路図が示される。運行経路図では、かごが移動する通路を略長方形の環状の通路で示している。かごが実際に移動する通路（昇降路）は、上下方向に直線的に延びる１本の通路であるが、運行経路図では、利用者が運行状態を直感的に理解しやすいように、略長方形の環状の通路で表現している。また、環状通路上で、かごを右回り（時計回り）に進ませるようにしている。そのため、環状通路のうち右側の縦通路には下降中のかごが示され、左側の縦通路には上昇中のかごが示される。
【００６８】
環状通路上には、割当号機のかごの現在階を示すオブジェクト「□」と、出発階を示すオブジェクト「◎」と、途中停止階を示すオブジェクト「○」と、行先階を示すオブジェクト「●」とが、それぞれの階床に応じて、上にある階床ほど上側の位置に表示される。なお、途中停止階がない場合は、途中停止階を示すオブジェクト「○」は表示されないことは言うまでもない。出発階を示すオブジェクト「◎」、途中停止階を示すオブジェクト「○」、及び行先階を示すオブジェクト「●」の横に、各々の階床を示す文字が表示される。本例では、オブジェクト「◎」、「○」、及び「●」の横に、「２Ｆ」、「１Ｆ」、及び「８Ｆ」がそれぞれ表示されている。
【００６９】
また、かごの現在階を示すオブジェクト「□」の中に割当号機名を示す文字が表示される。図８Ａの例では、割当号機がＢ号機であることを示す文字「Ｂ」が表示されている。なお、Ａ号機、Ｃ号機、Ｄ号機、Ｅ号機、またはＦ号機である場合は、文字「Ａ」、「Ｃ」、「Ｄ」、「Ｅ」、または「Ｆ」が表示される。
【００７０】
また、かごの現在階を示すオブジェクト「□」の上または下に隣接して、かごの現在運転方向が上方向であることを示すオブジェクト「▲」、またはかごの現在運転方向が下方向であることを示すオブジェクト「▼」が表示される。図８Ａの例では、かごの現在階を示すオブジェクト「□」の下に隣接して、かごの現在運転方向が下方向であることを示すオブジェクト「▼」が表示されている。なお、かごの現在階を示すオブジェクト「□」の横に、かごの現在階を示す文字をあわせて表示してもよい。
【００７１】
また、環状通路上には、出発階を示すオブジェクト「◎」から行先階を示すオブジェクト「●」に至る乗車区間を示す矢印が表示される。さらに、出発階を示すオブジェクト「◎」の横には、利用者を示す人型のマークが表示される。
【００７２】
図８Ａに示す運行経路画面を見た利用者は、運行経路上のかごの現在階を示すオブジェクト「□」の位置及びその中の文字に基づいて、Ｂ号機のかごが現在７階付近にあって、下方向に運転していることを理解できる。また、出発階を示すオブジェクト「◎」から行先階を示すオブジェクト「●」に至る乗車区間を示す矢印に基づいて、Ｂ号機のかごが出発階の２階から下方向に出発する際に、Ｂ号機のかごに乗車すべきことを理解できる。さらに、「１Ｆ」という文字とともに表示された途中停止階を示すオブジェクト「○」に基づいて、Ｂ号機が１階で途中停止することを理解できる。
【００７３】
ここで、割当号機が行先階に到着するまでの間、割当号機のかごの現在階、停止予定階、及び現在運転方向のいずれかに変化がある都度、群管理制御装置１０から、情報通信端末１００に、現在階、停止予定階、及び現在運転方向のうち変化があったものについて更新した情報が送信される。また、割当号機が出発階に到着したとき、群管理制御装置１０から情報通信端末１００に乗車案内信号が送信される。さらに、割当号機が行先階に到着したとき、群管理制御装置１０から情報通信端末１００に終了信号が送信される。更新された現在階、停止予定階、または現在運転方向の情報を受信した場合、制御部１０１は、表示部１０４に、更新された現在階、停止予定階、現在運転方向の情報に基づいて、エレベータの運行経路画面を更新表示させる。以下、その例を説明する。
【００７４】
図８Ｂに示す運行経路画面では、図８Ａに示す運行経路画面に対して、かごの現在階を示すオブジェクト「□」の位置が５階付近に変化している。図８Ｂの運行経路画面を見た利用者は、かごの現在階を示すオブジェクト「□」の位置の変化に基づいて、Ｂ号機のかごが現在５階付近にまで進んできていることを理解できる。なお、かごの現在階を示すオブジェクト「□」の位置は、例えば１階床毎に変化させる。
【００７５】
図８Ｃに示す運行経路画面では、図８Ｂに示す運行経路画面に対して、かごの現在階を示すオブジェクト「□」の位置が２階に変化している。また、かごの現在階を示すオブジェクト「□」と出発階を示すオブジェクト「◎」とが重ねて表示される。さらに、Ｂ号機に乗車することを促す「Ｂ号機に乗車下さい！」という乗車案内が表示される。図８Ｃの運行経路画面を見た利用者は、かごの現在階を示すオブジェクト「□」の位置が２階に変化し、かごの現在階を示すオブジェクト「□」と出発階を示すオブジェクト「◎」とが重なったことで、乗車すべきＢ号機が出発階である２階に到着したことを理解できる。また、「Ｂ号機に乗車下さい！」という乗車案内が表示されたことで、行先階とは反対の下方向に出発するエレベータではあるが、Ｂ号機に乗車すべきであることを適切に認識できる。なお、上記に加え、「Ｂ号機に乗車下さい！」という文字を点滅させたり、音声案内を行ったり、情報通信端末１００の有するバイブレーション機能を作動させたりしてもよい。これにより、利用者は、Ｂ号機に乗車すべきことをより適切に認識できる。
【００７６】
図８Ｄに示す運行経路画面では、図８Ｃに示す運行経路画面に対して、かごの現在階を示すオブジェクト「□」の位置が左側の縦通路（上方向の通路）の２階付近に変化している。オブジェクト「□」の内部には、号機名に代えて、利用者を示すマークが表示される。また、図８Ｃで表示されていた出発階を示すオブジェクト「◎」及び文字「２Ｆ」は、既に通過した後であり、消去されている。また、途中停止階を示すオブジェクト「○」及び文字「１Ｆ」についても、１階を既に通過した後であり、消去されている。図８Ｄを見た利用者は、Ｂ号機のかごが上方向に走行中で、現在２階付近にまで進んできており、行先階である８階まで途中停止階がないことを理解できる。そして、この後、かごの現在階を示すオブジェクト「□」の位置は、行先階である８階まで１階床ずつ変化し、Ｂ号機が行先階である８階に到着すると、行先階に到着をしたことを案内（例えば、「８階に到着、降車下さい！」）して、自動的にアプリケーションプログラムが終了し、運行経路画面の表示が完了する。なお、上記に加え、「８階に到着、降車下さい！」という文字を点滅させたり、音声案内を行ったり、情報通信端末１００の有するバイブレーション機能を作動させたりしてもよい。これにより、利用者は、８階で降車すべきことをより適切に認識できる。
【００７７】
図８Ａ〜図８Ｄでは割当号機が端階の１階を経由する例を示したが、本発明における運行経路画面の表示は、割当号機が端階の１階を経由しない場合にも適用できる。図８Ｅ〜図８Ｈに示す運行経路画面は、その一例を示す図であって、現在階が７階、出発階が３階、行先階が９階、停止予定階が２階の場合の図８Ａ〜図８Ｄにそれぞれ対応する図である。これらの運行経路画面を見た利用者は、上述した各種のオグジェクトに基づいて、Ｂ号機のかごが現在７階付近にあって下方向に運転しており、Ｂ号機のかごが出発階の３階から下方向に出発する際に、Ｂ号機のかごに乗車すべきことを理解できる。さらに、「２Ｆ」という文字とともに表示された途中停止階を示すオブジェクト「○」に基づいて、Ｂ号機が端階の１階を経由することなく、２階で途中停止して、２階で上方向に折り返すことを理解できる。そして、その後、９階の行先階に向かうことを理解できる。
【００７８】
２−２．群管理制御装置の動作
２−２−１．群管理制御装置の基本動作
図９は、群管理制御装置の動作の一例を示したフローチャートである。図９のフローチャートは、群管理制御装置１０が行先階割当依頼を受信したときに行われる基本的な処理の一例を示している。
【００７９】
群管理制御装置１０は、乗場行先階登録装置３０から行先階割当依頼を受信したか否かを判断する（Ｓ１１）。行先階割当依頼は、出発階及び行先階の情報を含む指令である。行先階割当依頼には、送信元の情報として乗場行先階登録装置３０の識別情報（以下「登録装置識別情報」という）が付加されている。登録装置識別情報は、当該エレベータシステムが配置されるビル内の乗場行先階登録装置３０を識別できる情報であればどのようなものでもよい。例えば、登録装置識別情報は、乗場行先階登録装置３０のシリアルナンバ、ＭＡＣアドレス、ＩＰアドレス等でもよい。
【００８０】
乗場行先階登録装置３０から行先階割当依頼を受信した場合（Ｓ１１でＹＥＳ）、群管理制御装置１０は、受信した行先階割当依頼に対して割り当てるエレベータ（割当号機）を、逆方向出発を許容しない割当方式（セレクティブコレクティブ方式に基づく割当方式）を用いて決定する（Ｓ１２）。逆方向出発を許容しない割当方式（セレクティブコレクティブ方式に基づく割当方式）では、割当号機の決定は、例えばエレベータシステムの運行効率が向上するように行われる。
【００８１】
ここで、群管理制御装置１０は、割当号機のかごの現在位置（現在位置する階床）を、割当号機に対応するエレベータ制御装置４０から随時送信されてくる現在位置を示す信号に基づいて常時把握している。また、群管理制御装置１０は、全てのエレベータについて、未応答の呼びに応答するための運行予定を管理しており、これらに基づき現在運転方向及び停止予定階を常時把握している。これらに基づいて、群管理制御装置１０は、割当号機のかごの現在階、現在運転方向、及び停止予定階の情報を生成する。
【００８２】
群管理制御装置１０は、割り当てたエレベータの識別情報（割当号機識別情報）を、登録装置識別情報に対応する乗場行先階登録装置３０に送信し（Ｓ１３）、ステップＳ１１の判断に戻る。
【００８３】
乗場行先階登録装置３０から行先階割当依頼を受信していない場合（Ｓ１１でＮＯ）、群管理制御装置１０は、情報通信端末１００から行先階割当依頼を受信したか否かを判断する（Ｓ１４）。行先階割当依頼は、乗場行先階登録装置３０からの行先階割当依頼同様に、出発階及び行先階の情報を含む指令である。なお、情報通信端末１００からの行先階割当依頼には、行先階割当依頼の送信元を示す情報として情報通信端末１００の識別情報（端末識別情報）が付加されている。端末識別情報は、前述したように、当該エレベータシステムに接続される情報通信端末１００を識別できる情報であればどのようなものでもよい。
【００８４】
情報通信端末１００から行先階割当依頼を受信した場合（Ｓ１４でＹＥＳ）、群管理制御装置１０は、受信した行先階割当依頼に対して割り当てるエレベータ（割当号機）を、逆方向出発を許容する割当方式（逆方向乗車許容方式）を用いて決定する（Ｓ１５）。
【００８５】
群管理制御装置１０は、割り当てたエレベータの識別情報（割当号機識別情報）を、端末識別情報に対応する情報通信端末１００に送信する（Ｓ１６）。
【００８６】
群管理制御装置１０は、情報通信端末１００から受信した行先階割当依頼用の運行経路情報送信処理（図１０）を起動し、運行経路情報送信処理に対して、行先階割当依頼の送信元の情報通信端末１００の端末識別情報、割当号機識別情報、利用者の出発階、行先階、及び乗車方向の情報を受け渡す（Ｓ１７）。これにより、行先階割当依頼を受信した情報通信端末１００に対しての運行経路情報送信処理が実行される。群管理制御装置１０は、ステップＳ１７で運行経路情報送信処理を起動後、異なる乗場行先階登録装置３０や情報通信端末１００での行先階割当依頼の発生に備え、ステップＳ１１の判断に戻る。図１０のフローチャートによる運行経路情報送信処理は、図９のフローチャートによる処理と並行して実行される。
【００８７】
ステップＳ１１に戻った後、ステップＳ１４で異なる情報通信端末１００から行先階割当依頼を受信したと判断した場合（Ｓ１４でＹＥＳ）、異なる情報通信端末１００から受信した行先階割当依頼用に、別途、運行経路情報送信処理（図１０）を起動し、この運行経路情報送信処理に対して、行先階割当依頼の送信元の情報通信端末１００の端末識別情報、割当号機識別情報、利用者の出発階、行先階、及び乗車方向の情報を受け渡す（Ｓ１７）。このように、運行経路情報送信処理（図１０）は、異なる複数の情報通信端末１００から行先階割当依頼を受信する毎に起動される。行先階割当依頼の発生間隔によっては、複数の運行経路情報送信処理（図１０）が、並行して実行される場合がある。
【００８８】
ここで、乗車方向とは、利用者に割り当てられた割当号機のかごが、利用者の出発階から出発する際に向かう方向（上方向または下方向）である。本実施の形態では、出発階から行先階へ向かう方向とは逆方向に出発するエレベータへの乗車を許容する割当を行うため、乗車方向は、出発階から行先階へ向かう方向とは逆方向となる場合がある。
【００８９】
２−２−２．群管理制御装置における運行経路情報送信処理
図１０は、群管理制御装置の動作の一例を示したフローチャートである。図１０のフローチャートは、群管理制御装置における運行経路情報送信処理の一例を示している。このフローチャートによる運行経路情報送信処理は、前述したように、図９のフローチャートのステップＳ１７の処理が実行されたときに起動される。そして、起動された運行経路情報送信処理は、当該処理に係る割当号機のかごが行先階に到着するまでの間実行される。
【００９０】
群管理制御装置１０は、行先階割当依頼の送信元の情報通信端末１００を所持する利用者が乗車したか否かを示す乗車フラグを「ＯＦＦ」に設定する（Ｓ２１）。乗車フラグが「ＯＦＦ」であることは、利用者がまだ乗車していないことを示し、乗車フラグが「ＯＮ」であることは、利用者が乗車したこと（利用者が乗車したと想定されること）を示す。
【００９１】
群管理制御装置１０は、行先階割当依頼の送信元の情報通信端末１００に、その端末識別情報に基づいて、割当号機の運行経路情報を送信する（Ｓ２２）。また、群管理制御装置１０は、送信した運行経路情報の内容を端末識別情報と紐付けて記憶部１２に記憶させる。運行経路情報には、割当号機識別情報、割当号機のかごの現在階、現在運転方向、出発階、行先階、及び停止予定階の情報が含まれる。ここで、利用者の出発階及び行先階は、端末識別情報に対応する情報通信端末１００から受信した行先階割当依頼に含まれていた出発階及び行先階である。停止予定階は、割当号機のかごが上記出発階から乗車方向にしたがって行先階へ向かう途中で停止する予定の階床である。停止予定階は、割当号機において既に登録されている他の行先階呼びの出発階及び停止予定階に基づいて設定される。
【００９２】
群管理制御装置１０は、割当号機のかごの現在階が利用者の出発階と同じ、かつかごの現在運転方向が利用者の乗車方向と同じか否かを判断する（Ｓ２３）。つまり、割当号機のかごが利用者の出発階に利用者の乗車方向で到着したか否かを判断する。なお、群管理制御装置１０は、割当号機のかごの現在階及び現在運転方向を、割当号機のエレベータ制御装置４０から送信されてくる現在階及び現在運転方向の情報に基づいて把握できる。
【００９３】
かごの現在階が利用者の出発階と同じ、かつかごの現在運転方向が利用者の乗車方向と同じである場合（Ｓ２３でＹＥＳ）、群管理制御装置１０は、端末識別情報に対応する情報通信端末１００に、乗車案内信号を送信し（Ｓ２４）、乗車フラグを「ＯＮ」に設定する（Ｓ２５）。なお、乗車フラグを「ＯＮ」にするに際し、利用者が実際に乗車したことを検知してもよいが、検知用のセンサ等が必要となるため、本実施の形態では利用者が実際に乗車したか否かは不問としている。
【００９４】
乗車フラグを「ＯＮ」に設定した場合（Ｓ２５）、またはステップＳ２３の条件が成立しない場合（Ｓ２３でＮＯ）、群管理制御装置１０は、割当号機のかごの現在階が変化したか否かを判断する（Ｓ２６）。例えば、群管理制御装置１０は、割当号機のかごの最新の現在階の情報と、端末識別情報に対応する情報通信端末１００に送信済の現在階の情報とを記憶部１２から読み出して比較し、両者の現在階が異なる場合、割当号機のかごの現在階が変化したと判断する。
【００９５】
割当号機のかごの現在階が変化した場合（Ｓ２６でＹＥＳ）、群管理制御装置１０は、端末識別情報に対応する情報通信端末１００に、割当号機のかごの最新の現在階の情報を送信する（Ｓ２７）。また、群管理制御装置１０は、送信した現在階の情報を端末識別情報と紐付けて記憶部１２に記憶させる。
【００９６】
群管理制御装置１０は、割当号機のかごの停止予定階が変化したか否かを判断する（Ｓ２８）。例えば、群管理制御装置１０は、割当号機のかごの最新の停止予定階の情報と、端末識別情報に対応する情報通信端末１００に送信済の停止予定階の情報とを記憶部１２から読み出して比較し、両者の停止予定階が異なる場合、割当号機のかごの停止予定階が変化したと判断する。
【００９７】
割当号機のかごの停止予定階が変化した場合（Ｓ２８でＹＥＳ）、群管理制御装置１０は、端末識別情報に対応する情報通信端末１００に、割当号機のかごの最新の停止予定階の情報を送信する（Ｓ２９）。また、群管理制御装置１０は、送信した停止予定階の情報を端末識別情報と紐付けて記憶部１２に記憶させる。
【００９８】
群管理制御装置１０は、割当号機のかごの現在運転方向が変化したか否かを判断する（Ｓ３０）。例えば、群管理制御装置１０は、割当号機のかごの最新の現在運転方向の情報と、端末識別情報に対応する情報通信端末１００に送信済の現在運転方向の情報とを記憶部１２から読み出して比較し、両者の現在運転方向が異なる場合、割当号機のかごの現在運転方向が変化したと判断する。
【００９９】
割当号機のかごの現在運転方向が変化した場合（Ｓ３０でＹＥＳ）、群管理制御装置１０は、端末識別情報に対応する情報通信端末１００に、割当号機の最新の現在運転方向の情報を送信する（Ｓ３１）。また、群管理制御装置１０は、送信した現在運転方向の情報を端末識別情報と紐付けて記憶部１２に記憶させる。
【０１００】
群管理制御装置１０は、乗車フラグが「ＯＮ」、かつ割当号機のかごの現在階が利用者の行先階と同じか否かを判断する（Ｓ３２）。つまり、割当号機が出発階を通過した後、利用者の行先階に到着したか否かを判断する。
【０１０１】
乗車フラグが「ＯＮ」、かつ割当号機のかごの現在階が利用者の行先階と同じである場合（Ｓ３２でＹＥＳ）、群管理制御装置１０は、端末識別情報に対応する情報通信端末１００に終了信号を送信し（Ｓ３３）、端末識別情報に対応する情報通信端末１００への運行経路情報送信処理を終了する。
【０１０２】
これに対し、ステップＳ３２の条件が成立しない場合（Ｓ３２でＮＯ）、群管理制御装置１０は、ステップＳ２３に戻ってその判断を実行する。
【０１０３】
２−３．情報通信端末の動作
図１１Ａ、図１１Ｂは、情報通信端末の動作の一例を示したフローチャートである。図１１Ａのフローチャートによる処理は、利用者により情報通信端末１００に対してアプリケーションプログラムの起動操作がなされたときに実行される。
【０１０４】
利用者により情報通信端末１００に対してアプリケーションプログラムの起動操作がなされると、まず、情報通信端末１００の制御部１０１は、無線通信装置９０を介して、群管理制御装置１０に対する通信の接続処理を行う（Ｓ１０１）。
【０１０５】
通信が確立すると、情報通信端末１００の制御部１０１は、出発階・行先階入力画面を表示部１０４に表示させる（Ｓ１０２）。前述した図７Ａの出発階・行先階入力画面はその一例である。
【０１０６】
情報通信端末１００の制御部１０１は、利用者による出発階及び行先階の入力が完了したか否かを判断する（Ｓ１０３）。例えば、情報通信端末１００の制御部１０１は、図７Ｂで一例として説明したように、出発階及び行先階の入力枠へ出発階及び行先階が入力されると、出発階及び行先階の入力が完了したと判断する。
【０１０７】
情報通信端末１００の制御部１０１は、群管理制御装置１０に、入力された出発階及び行先階の情報を含む行先階割当依頼を送信する（Ｓ１０４）。なお、行先階割当依頼には、送信元の情報として、情報通信端末１００の識別情報（端末識別情報）が付加される。
【０１０８】
情報通信端末１００の制御部１０１は、群管理制御装置１０から割当号機識別情報を受信したか否かを判断する（Ｓ１０５）。
【０１０９】
群管理制御装置１０から割当号機識別情報を受信していない場合（Ｓ１０５でＮＯ）、情報通信端末１００の制御部１０１は、ステップＳ１０５の判断を再度実行する。
【０１１０】
群管理制御装置１０から割当号機識別情報を受信した場合（Ｓ１０５でＹＥＳ）、情報通信端末１００の制御部１０１は、表示部１０４に、割当号機案内画面を表示させる（Ｓ１０６）。前述した図７Ｃの割当号機案内画面はその一例である。割当号機案内画面は、利用者が割当号機を適切に認識できる程度の一定時間表示されてもよい。
【０１１１】
続いて、情報通信端末１００の制御部１０１は、図１１Ｂのフローチャートに基づく運行経路画面の表示処理を行う。
【０１１２】
すなわち、情報通信端末１００の制御部１０１は、群管理制御装置１０から、割当号機の運行経路情報を受信したか否かを判断する（Ｓ１１１）。運行経路情報には、前述の通り、割当号機識別情報、かごの現在階、現在運転方向、及び停止予定階の情報、利用者の出発階、及び行先階の情報が含まれる。
【０１１３】
運行経路情報を受信していない場合（Ｓ１１１でＮＯ）、情報通信端末１００の制御部１０１は、ステップＳ１１１の判断を再度実行する。
【０１１４】
運行経路情報を受信した場合（Ｓ１１１でＹＥＳ）、情報通信端末１００の制御部１０１は、受信した運行経路情報（割当号機識別情報、かごの現在階、現在運転方向、及び停止予定階の情報、利用者の出発階、及び行先階の情報）の内容を表示部１０４に表示させる（Ｓ１１２）。前述した図８Ａの運行経路画面はその一例である。
【０１１５】
情報通信端末１００の制御部１０１は、群管理制御装置１０から乗車案内信号を受信したか否かを判断する（Ｓ１１３）。
【０１１６】
乗車案内信号を受信した場合（Ｓ１１３でＹＥＳ）、情報通信端末１００の制御部１０１は、表示部１０４に、乗車案内を表示させる（Ｓ１１４）。例えば、図８Ｃで説明したように、運行経路画面上に乗車案内を表示させる。
【０１１７】
乗車案内を表示させた場合（Ｓ１１４）、またはステップＳ１１３の条件が成立しなかった場合（Ｓ１１３でＮＯ）、情報通信端末１００の制御部１０１は、群管理制御装置１０から割当号機のかごの現在階の情報を受信したか否かを判断する（Ｓ１１５）。
【０１１８】
割当号機のかごの現在階の情報を受信した場合（Ｓ１１５でＹＥＳ）、情報通信端末１００の制御部１０１は、表示部１０４における現在階の表示を更新する（Ｓ１１６）。例えば、図８Ｂで説明したように、運行経路画面上の現在階の表示を更新する。
【０１１９】
現在階の表示を更新した場合、またはステップＳ１１５の条件が成立しなかった場合（Ｓ１１５でＮＯ）、情報通信端末１００の制御部１０１は、群管理制御装置１０から割当号機のかごの停止予定階の情報を受信したか否かを判断する（Ｓ１１７）。
【０１２０】
割当号機のかごの停止予定階の情報を受信した場合（Ｓ１１７でＹＥＳ）、情報通信端末１００の制御部１０１は、表示部１０４における停止予定階の表示を更新する（Ｓ１１８）。例えば、図８Ｄで説明したように、運行経路画面上の停止予定階の表示を更新する。
【０１２１】
停止予定階の表示を更新した場合（Ｓ１１８）、またはステップＳ１１７の条件が成立しなかった場合（Ｓ１１７でＮＯ）、情報通信端末１００の制御部１０１は、群管理制御装置１０から割当号機のかごの現在運転方向の情報を受信したか否かを判断する（Ｓ１１９）。
【０１２２】
割当号機のかごの現在運転方向の情報を受信した場合（Ｓ１１９でＹＥＳ）、情報通信端末１００の制御部１０１は、表示部１０４における現在運転方向の表示を更新する（Ｓ１２０）。例えば、図８Ｄで説明したように、運行経路画面上の現在運転方向の表示を更新する。
【０１２３】
割当号機のかごの現在運転方向の表示を更新した場合（Ｓ１２０）、またはステップＳ１１９の条件が成立しなかった場合（Ｓ１１９でＮＯ）、情報通信端末１００の制御部１０１は、群管理制御装置１０から終了信号を受信したか否かを判断する（Ｓ１２１）。
【０１２４】
終了信号を受信した場合（Ｓ１２１でＹＥＳ）、情報通信端末１００の制御部１０１は、アプリケーションプログラムの終了処理を実行する（Ｓ１２２）。
【０１２５】
終了信号を受信していない場合（Ｓ１２１でＮＯ）、情報通信端末１００の制御部１０１は、ステップＳ１１３に戻る。
【０１２６】
（第１の他の例）
図１２Ａ、図１２Ｂ、図１２Ｃ、図１２Ｄは、情報通信端末の表示部における第１の他の表示の例を示した図である。
【０１２７】
図１２Ａ〜図１２Ｄの運行経路画面では、割当号機の運行条件を図８Ａ〜図８Ｄの場合と同じにして、表示態様のみ異ならせている。図１２Ａに示す運行経路画面では、割当号機のかごが移動する範囲に含まれる全ての階床名が上下方向（縦方向）に並べて表示される。また、割当号機のかごの現在階を示すかご状のオブジェクト「□」と、出発階を示すオブジェクト「◎」と、途中停止階を示すオブジェクト「○」と、行先階を示すオブジェクト「●」とが、該当する階床の横に表示される。
【０１２８】
また、かごの現在階を示すオブジェクト「□」の中に割当号機名を示す文字が表示される。図１２Ａの例では、割当号機がＢ号機であることを示す文字「Ｂ」が表示されている。
【０１２９】
また、かごの現在階を示すオブジェクト「□」の上または下に隣接して、かごの現在運転方向が上方向であることを示すオブジェクト「↑」（上向きの破線の矢印）、またはかごの現在運転方向が下方向であることを示すオブジェクト「↓」（下向きの破線の矢印）が表示される。図８Ａの例では、かごの現在階を示すオブジェクト「□」の下に、かごの現在運転方向が下方向であることを示すオブジェクト「↓」（下向きの破線の矢印）が表示されている。
【０１３０】
また、これらのオブジェクトを、割当号機のかごが運行する順に結んだ線が表示される。図１２Ａの例では、７階の横に、割当号機のかごの現在階を示すオブジェクト「□」が表示され、２階の横に出発階を示すオブジェクト「◎」が表示され、１階の横に途中停止階を示すオブジェクト「○」が表示され、８階の横に行先階を示すオブジェクト「●」が表示されている。
【０１３１】
また、運行経路上には、出発階を示すオブジェクト「◎」から行先階を示すオブジェクト「●」に至る乗車区間を示すオブジェクト（実線の曲折した矢印）が表示される。
【０１３２】
図１２Ａに示す運行経路画面を見た利用者は、かごの現在階を示すオブジェクト「□」の位置及びその中の文字に基づいて、Ｂ号機のかごが現在７階付近にあることを理解できる。また、現在階を示すオブジェクト「□」から出発階を示すオブジェクト「◎」に至る破線の矢印に基づいて、Ｂ号機のかごが下方向に運転していることを理解できる。また、出発階を示すオブジェクト「◎」から行先階を示すオブジェクト「●」に至る乗車区間を示す矢印に基づいて、Ｂ号機のかごが出発階の２階から下方向に出発する際に、Ｂ号機のかごに乗車すべきことを理解できる。さらに、「１Ｆ」の横に表示された途中停止階を示すオブジェクト「○」に基づいて、Ｂ号機が１階で途中停止することを理解できる。
【０１３３】
図１２Ｂ〜図１２Ｄについては具体的な説明は省略するが、図８Ａ〜図８Ｄと同じ運転状況を示している。例えば、図１２Ｃでは「乗車下さい！」という乗車案内が表示されることで、利用者は安心して逆方向に向かう割当号機に安心して乗車できる。
【０１３４】
図１２Ａ〜図１２Ｄで示したような表示態様であっても、図８Ａ〜図８Ｄで説明したのと同様の効果が得られる。
【０１３５】
（第２の他の例）
図１３Ａ、図１３Ｂ、図１３Ｃ、図１３Ｄは、情報通信端末の表示部における第２の他の表示の例を示した図である。
【０１３６】
図１３Ａ〜図１３Ｄの運行案内画面では、割当号機の運行条件を図８Ａ〜図８Ｄの場合と同じにして、表示態様のみ異ならせて表示している。具体的には、図１３Ａ〜図１３Ｄに示す運行案内画面では、出発階、行先階、途中停止階、現在階、割当号機名、現在運転方向、乗車案内等を文字のみで表示する。このような態様でも、利用者に運行案内を適切に行うことができる。また、運行案内画面を文字で構成したことで、画面を容易に構成できるとともに、明確に情報を伝達できる。
【０１３７】
３．まとめ
（１）本実施の形態において、情報通信端末１００が提供される。
情報通信端末１００は、
無線通信を行う無線通信部１０６と、
画像を表示する表示部１０４と、
制御部１０１と、を備える。
制御部１０１は、
複数台のエレベータ６０の運行を統括的に制御する群管理制御装置１０から無線通信部の無線通信により情報を逐次受信し、
群管理制御装置１０から、当該情報通信端末１００を所持する利用者により当該情報通信端末１００を利用して乗車前に登録された出発階及び行先階に対して複数台のエレベータ６０の中から割り当てられた割当号機の識別情報と、割当号機のかごが現在位置する現在階の情報と、かごが現在階から行先階に到着するまでに途中で停止する停止予定階の情報とを含むかごの運行経路情報を受信した場合、かごが行先階に到着したことを示す終了信号（行先階到着情報）を受信するまでの間、かごの運行経路情報を表示部１０４に表示させ、
群管理制御装置１０から、かごが出発階に到着したことを示す乗車案内信号（出発階到着情報）を受信したときに、表示部１０４に、利用者にかごへの乗車を促す乗車案内情報を表示させる。
【０１３８】
これにより、割当号機の識別情報とともに、出発階、行先階、現在階、及び停止予定階の情報が情報通信端末１００に送信され、利用者にかごの運行経路情報が報知される。また、かごが出発階に到着したときに、利用者にかごへの乗車を促す乗車案内情報を報知させるための乗車案内信号（出発階到着情報）が情報通信端末１００に送信され、情報通信端末１００において、利用者に到着したかごへの乗車を促す案内が表示される。そのため、利用者は、乗車前に、運行経路情報に基づいて、割当号機のかごが出発階から行先階に向かう方向と同じ方向に出発するのか、出発階から行先階に向かう方向とは反対方向に出発するのかを認識することができるとともに、割当号機のかごに乗車案内にしたがって乗車すればよい。そのため、利用者の出発階及び行先階に対して、出発階から行先階に向かう方向と同じ方向に出発するエレベータと、出発階から行先階に向かう方向とは反対方向に出発するエレベータとを区別せずにエレベータの割当てを行った場合でも、利用者に不安を抱かせることを抑制でき、利用者の利便性を向上させることができる。
【０１３９】
（２）本実施の形態の情報通信端末１００において、
制御部１０１は、群管理制御装置１０から、更新された現在階の情報を受信したときに、表示部１０４に、表示中の現在階の情報に代えて、更新された現在階の情報を表示させる。
【０１４０】
これにより、割当号機のかごが行先階に到着するまでの間、割当号機のかごの最新の現在階を利用者に案内できる。そのため、利用者の利便性をより向上させることができる。
【０１４１】
（３）本実施の形態の情報通信端末１００において、
制御部１０１は、群管理制御装置１０から、更新された停止予定階の情報を受信したときに、表示部１０４に、表示中の停止予定階の情報に代えて、更新された停止予定階の情報を表示させる。
【０１４２】
これにより、割当号機のかごが行先階に到着するまでの間、割当号機のかごの最新の停止予定階を利用者に案内できる。そのため、利用者の利便性をより向上させることができる。
【０１４３】
（４）本実施の形態の情報通信端末１００において、
制御部１０１は、運行経路情報を、運行経路図状に表示させる。
【０１４４】
これにより、利用者に、エレベータのかごの運行状態を直感的に認識させることができる。
【０１４５】
（５）本実施の形態の情報通信端末１００において、
群管理制御装置１０は、利用者の出発階から行先階に向かう方向と同じ方向に出発するエレベータと、利用者の出発階から行先階に向かう方向とは反対方向に出発するエレベータの中から、利用者を乗車させる割当号機を決定する。
【０１４６】
本実施の形態の情報通信端末１００によれば、エレベータの群管理制御装置１０が、出発階から行先階に向かう方向と同じ方向に出発するエレベータと、出発階から行先階に向かう方向とは反対方向に出発するエレベータとを区別せずに、割り当てるエレベータを決定するように構成されている場合でも、利用者に不安を抱かせることを抑制でき、利用者の利便性を向上させることができる。
【０１４７】
（６）〜（１０）本実施の形態において、無線通信を行う無線通信部１０６と画像を表示する表示部１０４とを有する情報通信端末１００（コンピュータ）に、本実施の形態の情報通信端末１００の上述した各種の機能を実現させるアプリケーションプログラム（プログラムの一例）が提供される。なお、本発明におけるプログラムは、ＯＳ上で動作するアプリケーションプログラムとして実現されてもよいし、ＯＳを介さずハードウェア上で直接動作する専用プログラムとして実現されてもよい。
【０１４８】
（１１）本実施の形態において、エレベータの群管理システムが提供される。
エレベータの群管理システムは、
無線通信を行う無線通信装置９０と、
複数台のエレベータ６０の運行を統合的に制御するとともに、情報通信端末１００を所持する利用者により情報通信端末１００を利用して乗車前に登録された出発階及び行先階を複数台のエレベータ６０のうちのいずれかに割り当てる群管理制御装置１０と、を備える。
群管理制御装置１０は、
出発階及び行先階を複数台のエレベータ６０のうちのいずれかに割り当てたときに、割当号機の識別情報と、割当号機のかごが現在位置する現在階の情報と、かごが現在階から行先階に到着するまでに途中で停止する停止予定階の情報とを含むかごの運行経路情報をかごが行先階に到着するまでの間情報通信端末から前記利用者に報知させるために、かごの運行経路情報を無線通信装置９０を用いて、情報通信端末１００に送信するとともに、
かごが出発階に到着したときに、情報通信端末１００から利用者にかごへの乗車を促す乗車案内情報を報知させるために、かごが出発階に到着したことを示す乗車案内信号（出発階到着情報）を、無線通信装置９０を用いて、情報通信端末１００に送信する。
【０１４９】
これにより、上述のように、利用者の出発階及び行先階に対して、出発階から行先階に向かう方向と同じ方向に出発するエレベータと、出発階から行先階に向かう方向とは反対方向に出発するエレベータとを区別せずに、エレベータの割当てを行った場合でも、利用者に不安を抱かせることを抑制でき、利用者の利便性を向上させることができる。
【０１５０】
（１２）本実施の形態のエレベータの群管理システムにおいて、
群管理制御装置１０は、かごの現在階に変化が生じたときは、無線通信装置９０を用いて、情報通信端末１００に、更新した現在階の情報を送信する。
【０１５１】
これにより、割当号機のかごが行先階に到着するまでの間、割当号機のかごの最新の現在階を利用者に案内できる。そのため、利用者の利便性をより向上させることができる。
【０１５２】
（１３）本実施の形態のエレベータの群管理システムにおいて、
群管理制御装置１０は、かごの途中停止階に変化が生じたときは、無線通信装置９０を用いて、情報通信端末１００に、更新した途中停止階の情報を送信する。
【０１５３】
これにより、割当号機のかごが行先階に到着するまでの間、割当号機のかごの最新の停止予定階を利用者に案内できる。そのため、利用者の利便性をより向上させることができる。
【０１５４】
（１４）本実施の形態のエレベータの群管理システムにおいて、
群管理制御装置１０は、利用者の出発階から行先階に向かう方向と同じ方向に出発するエレベータと、利用者の出発階から行先階に向かう方向とは反対方向に出発するエレベータの中から、利用者を乗車させる割当号機を決定する。
【０１５５】
これにより、エレベータのかごの停止回数を減らすことができる。
【０１５６】
（１５）本実施の形態のエレベータの群管理システムにおいて、
エレベータ乗場に、利用者による行先階の登録を受け付ける乗場行先階登録装置３０が配置され、
群管理制御装置１０は、行先階の登録が乗場行先階登録装置３０を利用して行われたときは、複数台のエレベータ６０のうち、利用者の出発階から行先階に向かう方向と同じ方向に出発するエレベータの中から、利用者を乗車させる割当号機を決定し、
決定した割当号機の識別情報を乗場行先階登録装置３０に送信する。
【０１５７】
これにより、エレベータ乗場に配置された乗場行先階登録装置３０を利用して行先階及び出発階を登録した利用者に対しては、行先階から出発階に向かう方向とは反対方向に出発するエレベータについては排除して、割り当てるエレベータが決定される。そのため、そのような利用者に対して、逆方向乗車に伴う不安を抱かせることを回避できる。
【０１５８】
（他の実施の形態）
前記実施の形態において、本発明の複数の態様を説明した。しかし、本発明の具体的態様は、上述した実施の形態に限られず、これらの実施の形態を組み合わせたものとすることもできる。
【０１５９】
前記実施の形態では、出発階、行先階、及び端末識別情報を情報通信端末から群管理制御装置に無線ＬＡＮを介して直接送信する例を説明した。しかし、本発明における無線通信はこれに限定されない。本発明における無線通信は、例えば、通信事業者が提供する３Ｇ、４Ｇ、５Ｇ等の通信規格にしたがって行われてもよい。また、本発明における無線通信は、Ｂｌｕｅｔｏｏｔｈ（登録商標）等の通信規格にしたがって行われてもよい。その場合、無線通信部として、これらの無線通信を行うことが可能な公知のデバイスを利用することができる。
【０１６０】
前記実施の形態では、群管理制御装置から、かごの運行経路情報として、出発階及び行先階の情報についても送信する。しかし、ここで送信される出発階及び行先階は、情報通信端末側から送信した出発階及び行先階と同じであるため、送信した出発階及び行先階を情報通信端末において記憶しておき、この内容を運行経路の表示時に用いることで、出発階及び行先階の情報を群管理制御装置１０から送信しないように構成してもよい。また、割当号機の識別情報に関しても、運行経路情報を受信する前に一度受信を行っているため、受信済の割当号機識別情報を情報通信端末において記憶しておき、この内容を運行経路の表示時に用いることで、群管理制御装置１０から割当号機識別情報を送信しないように構成してもよい。また、図７Ｂの出発階・行先階入力画面の表示後、図７Ｃの割当号機案内画面を表示することなく、図８Ａの運行経路情報画面を表示してもよい。この場合でも、図８Ａの運行経路情報画面に、割当号機識別情報が表示されるため、利用者は割当号機を把握することができる。
【０１６１】
前記実施の形態では、群管理制御装置は、情報通信端末または乗場行先階登録装置から行先階及び出発階の情報を取得する。しかし、本発明において、群管理制御装置は、情報通信端末、乗場行先階登録装置以外の装置から行先階及び出発階の情報を取得してもよい。例えば、群管理制御装置は、ビル内への利用者の入館を管理するセキュリティゲートのＩＣカードリーダに接続されるセキュリティサーバから、利用者の行先階及び出発階の情報を取得してもよい。この場合、セキュリティサーバの記憶部に、利用者の所持する情報通信端末（ＩＣカード機能を有する）の識別情報に紐付けて行先階及び出発階を記憶させておく。また、カードリーダに情報通信端末がかざされたときに、カードリーダで情報通信端末（ＩＣカード機能を有する）の識別情報を読み取り、セキュリティサーバの制御部は、読み取られた識別情報に紐づけられている行先階及び出発階の情報を記憶部から読み出して群管理制御装置に送信する。群管理制御装置は、セキュリティサーバから受信した出発階及び行先階を複数台のエレベータのうちのいずれかに、逆方向乗車を許容する割当方式で割り当てて、以後、情報通信端末または乗場行先階登録装置から行先階及び出発階の情報を取得した場合と同様の制御を行う。すなわち、群管理制御装置は、割当号機の識別情報と、割当号機のかごが現在位置する現在階の情報と、かごが現在階から行先階に到着するまでに途中で停止する停止予定階の情報とを含むかごの運行経路を割当号機のかごが行先階に到着するまでの間情報通信端末から利用者に報知させるために、かごの運行経路情報を無線通信装置を用いて情報通信端末に送信する。また、群管理制御装置は、かごが出発階に到着したときに、情報通信端末から利用者にかごへの乗車を促す乗車案内情報を報知させるために、かごが出発階に到着したことを示す乗車案内信号（出発階到着情報）を、無線通信装置を用いて、情報通信端末に送信する。一方、カードリーダにＩＣカードがかざされたときは、群管理制御装置は、乗場行先階登録装置のテンキー等を利用して行先階の登録が行われたときと同様に、複数台のエレベータのうちのいずれかに、逆方向乗車を許容しない割当方式で割り当てる。そして、群管理制御装置は、割当号機の識別情報をセキュリティゲートの表示器に送信し、表示器に割当号機の識別情報を表示させる。
【０１６２】
なお、乗場行先階登録装置に併設してＩＣカードリーダを設け、当該ＩＣカードリーダをセキュリティサーバに接続した場合にも、本発明は適用可能である。この場合、群管理制御装置は、当該ＩＣカードリーダに情報通信端末またはＩＣカードがかざされたときに、セキュリティゲートのＩＣカードリーダに情報通信端末またはＩＣカードがかざされたときと同様の制御を行う。
【０１６３】
前記実施の形態では、本発明を、６台のエレベータを有するエレベータシステムに適用した例を示した。しかし、本発明は、２〜５台のエレベータあるいは７台以上のエレベータを有するエレベータシステムにも適用可能である。
【０１６４】
また、前記実施の形態では、本発明に係る情報通信端末をスマートフォン等の携帯型コンピュータに適用した例を示した。しかし、本発明に係る情報通信端末は、これ以外に、タブレット型コンピュータ、ノートブック型コンピュータ等の通信可能な携帯機器にも適用できる。
【符号の説明】
【０１６５】
１０  群管理制御装置
１１  制御部
１２  記憶部
１３  入出力インタフェース
３０、３０Ａ〜３０Ｚ  乗場行先階登録装置
３１  制御部
３２  記憶部
３３  入出力インタフェース
３４  表示部
３５  操作部
３６  リーダ
４０、４０Ａ〜４０Ｆ  エレベータ制御装置
６０、６０Ａ〜６０Ｆ  エレベータ
９０  無線通信装置
１００、１００−１〜１００−ｎ  情報通信端末
１０１  制御部
１０２  記憶部
１０４  表示部
１０５  操作部
１０６  無線通信部
【図１】
2019151420.tif 000003
【図２】
2019151420.tif 000004
【図３】
2019151420.tif 000005
【図４】
2019151420.tif 000006
【図５】
2019151420.tif 000007
【図６】
2019151420.tif 000008
【図７Ａ】
2019151420.tif 000009
【図７Ｂ】
2019151420.tif 000010
【図７Ｃ】
2019151420.tif 000011
【図８Ａ】
2019151420.tif 000012
【図８Ｂ】
2019151420.tif 000013
【図８Ｃ】
2019151420.tif 000014
【図８Ｄ】
2019151420.tif 000015
【図８Ｅ】
2019151420.tif 000016
【図８Ｆ】
2019151420.tif 000017
【図８Ｇ】
2019151420.tif 000018
【図８Ｈ】
2019151420.tif 000019
【図９】
2019151420.tif 000020
【図１０】
2019151420.tif 000021
【図１１Ａ】
2019151420.tif 000022
【図１１Ｂ】
2019151420.tif 000023
【図１２Ａ】
2019151420.tif 000024
【図１２Ｂ】
2019151420.tif 000025
【図１２Ｃ】
2019151420.tif 000026
【図１２Ｄ】
2019151420.tif 000027
【図１３Ａ】
2019151420.tif 000028
【図１３Ｂ】
2019151420.tif 000029
【図１３Ｃ】
2019151420.tif 000030
【図１３Ｄ】
2019151420.tif 000031